(57)【要約】      （修正有）【課題】使用スペースが小さく、機能的相補性、電源の増設を必要とせず、人体に有益なフィットネス環境を提供する。【解決手段】筐体２、トレッドミル、空気清浄機及び電源を含み、筐体下にローラー３が設置され、Ａ面とＢ面に分けられ、空気清浄機がＡ面に設置され、トレッドミルが筐体Ｂ面の底部に取り付けられ、その手すりが筐体Ｂ面両側の筐壁内に取り付けられる。さらにインテリジェント制御システムが設置され、コントローラ、中央制御コンピューター、電圧周波数検出装置、オーディオ装置、表示装置１及び信号送受信装置を含む。使用方法は装置の展開及び要件の設定、環境の準備、フィットネスプロセス、フィットネス終了の統計分析、折り畳み等の五つのステップを含む。【選択図】図１
2018015326.tif 000002
【特許請求の範囲】
【請求項１】
スマートホーム空気清浄のキャビネット型フィットネス機器であって、筐体（２）、トレッドミル、空気清浄機、電源を含み、筐体（２）の下部にローラー（３）が設置され、その特徴は以下のとおりである：
前記筐体（２）がＡ面とＢ面に分けられ、空気清浄機がＡ面に設置され、トレッドミルがＢ面に設置される；トレッドミルの固定端が第三回転機構（７）により筐体（２）Ｂ面の底部に取り付けられ、トレッドミルの手すり（６）が筐体（２）Ｂ面両側の筐壁内に取り付けられ、手すり（６）の固定端が第一回転機構（５）により筐壁に接続される；
スマートホーム空気清浄のキャビネット型フィットネス機器にさらにインテリジェント制御システムが設置され、前記インテリジェント制御システムはコントローラ、中央制御コンピューター、電圧周波数検出装置、オーディオ装置、表示装置（１）とトレッドミル、中央制御コンピューター、コントローラ及び上記各装置に接続された信号送受信装置を含む；ここで前記中央制御コンピューター内にティーチングモジュール、統計分析モジュール、警告モジュールが統合された制御ソフトウェアが取り付けられる；電圧周波数検出装置がトレッドミルトラック（８）の下方に取り付けられ、監視範囲が少なくともトラック（８）水平面積の７５％をカバーする；前記表示装置（１）が筐体（２）頂部の上方に設置され、表示装置（１）にさらに重力感知機構が設置され、表示装置（１）が第二回転機構（４）により筐体（２）に取り付けられ、筐体（２）のＡ、Ｂ面に自由に回転して切り替えることができる。
【請求項２】
請求項１に記載のスマートホーム空気清浄のキャビネット型フィットネス機器であって、前記空気清浄機内に環境改善システムが統合され、環境改善システムは少なくとも負イオン発生装置、加湿装置、酸素添加装置及び環境データ監視装置を含む；前記中央制御コンピューター内の制御ソフトウェアにさらに環境データ監視制御モジュールが統合される。
【請求項３】
請求項１に記載のスマートホーム空気清浄のキャビネット型フィットネス機器の使用方法であって、その特徴は以下のステップを含むことである：
１）装置の展開と要件の設定
ｉ．  ユーザーの自身要件に応じて、フィットネスを必要としない場合、スマートホーム空気清浄のキャビネット型フィットネス機器における空気清浄機を独立して起動し、トレッドミルを起動しなくてもよい；フィットネスを必要とする場合、スマートホーム空気清浄のキャビネット型フィットネス機器のＢ面筐体のドアを開き、トレッドミルを下に置き、且つコントローラによりランニングパラメータを設定する；
ｉｉ．  中央制御コンピューターが信号を受信した後、表示装置（１）により要件に応じて統計して分析されたフィットネス項目詳細を表示する；
ｉｉｉ．  ユーザーは自身の要件に応じて微調整を行い、プログラムの設定を完了する；
２）環境の準備
ｉ．  プログラムの設定が完了した後、空気清浄機が起動し、且つ環境空気が適切なフィットネスを保持する；
３）フィットネスプロセス
ｉ．  環境の準備が完了した後、プリセットプログラムに応じて、中央制御コンピューターはオーディオ装置及び表示装置（１）によりステップに応じてユーザーがフィットネスを行うように提示する；
ｉｉ．  ユーザーが最初に使用する場合、表示装置（１）においてトレッドミルに対応する正確の使用ティーチングを自動的に放送する；ユーザーが熟練した後、ユーザーが事前に設定した音楽又はビデオを放送する；
ｉｉｉ．  ユーザーがフィットネスを行い、電圧周波数検出装置がユーザーフィットネス動作の速度、コンパス及び頻度を検出し、中央制御コンピューターが信号を受信した後に統計分析を行い、科学方式との区別が大きすぎ、中央制御コンピューターにおいて事前に設定された閾値を超えると、オーディオ装置及び表示装置（１）によりユーザーに対して補正又は疲労警告を行う；
４）フィットネス終了の統計分析
ｉ．  フィットネスが完了した後、中央制御コンピューターは本回フィットネスの関連データに対して統計分析を行い、統計分析結果をオーディオ装置及び表示装置（１）によりユーザーに放送する；
ｉｉ．  統計分析結果に基づき、ユーザー次回フィットネスの推薦を与える；
ｉｉｉ．  ユーザーが次のフィットネスを完了する場合、今回の推薦と対比してユーザーにフィットネスを科学的で、合理的で、定期的に行うように長期的に補正して注意する；
５）スマートホーム空気清浄のキャビネット型フィットネス機器の折り畳み
ｉ．  トレッドミルを第三回転機構（７）、手すり（６）を第一回転機構（５）により筐体（２）に折り畳み、筐体（２）Ｂ面筐体のドアを閉じ、即ちスマートホーム空気清浄のキャビネット型フィットネス機器の折り畳みを完了する。
【請求項４】
請求項２に記載のスマートホーム空気清浄のキャビネット型フィットネス機器の使用方法であって、その特徴は以下のステップを含むことである：
１）装置の展開と要件の設定
ｉ．  ユーザー自身の要件に応じて、フィットネスを必要としない場合、スマートホーム空気清浄のキャビネット型フィットネス機器における空気清浄機又は環境改善システムをそれぞれ又はすべて起動し、トレッドミルを起動しなくてもよい；フィットネスを必要とする場合、スマートホーム空気清浄のキャビネット型フィットネス機器Ｂ面筐体のドアを開き、トレッドミルを下に置き、且つコントローラによりランニングパラメータを設定する；
ｉｉ．  中央制御コンピューターが信号を受信した後、表示装置（１）により要件に応じて統計して分析されたフィットネス項目詳細を表示する；
ｉｉｉ．  ユーザーは自身の要件に応じて微調整を行い、プログラムの設定を完了する；
２）環境の準備
ｉ．  プログラムの設定が完了した後、環境データ監視装置が動作し、スマートホーム空気清浄のキャビネット型フィットネス機器の所在環境の温度、負イオン濃度、酸素含有量、空気品質及び環境湿度を検出する；
ｉｉ．  中央制御コンピューターが信号を受信した後、環境データ監視制御モジュールが起動し、空気清浄機及環境改善システムが人体運動に適した環境データに達するまで環境を改善するように制御し、且つ維持し続ける；
３）フィットネスプロセス
ｉ．  環境の準備が完了した後、プリセットプログラムに基づき、中央制御コンピューターがオーディオ装置及び表示装置（１）によりステップに応じてユーザーがフィットネスを行うように提示する；
ｉｉ．  ユーザーが最初に使用する場合、表示装置（１）においてトレッドミルに対応する正確の使用ティーチングを自動的に放送する；ユーザーが熟練した後、ユーザーが事前に設定した音楽又はビデオを放送する；
ｉｉｉ．  ユーザーがフィットネスを行い、電圧周波数検出装置がユーザーフィットネス動作の速度、コンパス及び頻度を検出し、中央制御コンピューターが信号を受信した後に統計分析を行い、科学方式との区別が大きすぎ、中央制御コンピューターにおいて事前に設定された閾値を超えると、オーディオ装置及び表示装置（１）によりユーザーに対して補正又は疲労警告を行う；
４）フィットネス終了の統計分析
ｉ．  フィットネスが完了した後、中央制御コンピューターは本回フィットネスの関連データに対して統計分析を行い、統計分析結果をオーディオ装置及び表示装置（１）によりユーザーに放送する；
ｉｉ．  統計分析結果に基づき、ユーザー次回フィットネスの推薦を与える；
ｉｉｉ．  ユーザーが次のフィットネスを完了した後、今回の推薦と対比してユーザーにフィットネスを科学的で、合理的で、定期的に行うように長期的に補正して注意する；
５）スマートホーム空気清浄のキャビネット型フィットネス機器の折り畳み
ｉ．  トレッドミルを第三回転機構（７）、手すり（６）を第一回転機構（５）により筐体（２）に折り畳み、筐体（２）Ｂ面筐体のドアを閉じ、即ちスマートホーム空気清浄のキャビネット型フィットネス機器の折り畳みが完了する。
【発明の詳細な説明】
【技術分野】
【０００１】
本発明はフィットネス機器の分野に関し、特にスマートホーム空気清浄のキャビネット型フィットネス機器及びその使用方法に関する。
【背景技術】
【０００２】
トレッドミルは家庭及びトレーニングルームで常備するフィットネス機器であり、且つ現在ホームジムにおける最も単純なタイプであり、ホームジムの最適な選択である。
【０００３】
電動トレッドミルはトレーニングルーム及び家庭用の高品位装置であり、それがモータによってランニングベルトを駆動し人を異なる速度でランニングさせるか又は歩き回らせる。ランニング及び歩きを受動的に形成させるため、動作外観から見ると、地面での一般的なランニング又は歩きとほぼ同じであり、体力から見ると、電動トレッドミルでのランニング、歩きが一般的なランニング、歩きに比べて一つのレッグカール動作を省く。これこそ電動トレッドミルで走って歩く人々を十分に楽させ、人が一般的なランニングより約１／３の行程多く、エネルギー消費量も一般的なランニング、歩きより多い。また、電動トレッドミルでの電子補助装置機能が非常に多いため、異なるランニング環境を体験することができ、例えば平地ランニング、上り坂ランニング、ヒルズランニング、変速ランニング等であり、トレーニングの目的に応じて選択することができる。
【０００４】
中国で出願された関連特許において、エアコン及びトレッドミルを統合する従来技術がない；類似した分野において、特許《インテリジェントトレッドミル》（出願番号：２０１１１０３１５９３７．４、開示日：２０１２−０２−２２）は、インテリジェントトレッドミルを開示し、それもインテリジェント統計モジュールを統合するが、該トレッドミルはスペースを節約する設計がなく、他の大電力電気器具と統合せず、したがって大きい占地面積及び増設電源を必要とし、他方、該装置にその利用機能と補完する他の施設も配置せず、フィットネス効果を最適化できず、同時に装置に対して総合的な制御を行うことができないため、使用しにくい；特許《多機能のインテリジェントトレッドミル》（出願番号：２０１５１０８２１０６０．４、開示日：２０１６−０１−２０）は、多機能のインテリジェントトレッドミルを開示し、人と相互作用し、補正して注意し続けることができるトレッドミルを提供し、ところがそれに警告メカニズムがなく、且つ統計フィードバックメカニズムがなく、長期的に持続可能な改善を行うことができない；上記二つの特許ファイルは関連装置がセットしないため、人体に有益な的フィットネス環境を提供することができない。
【先行技術文献】
【特許文献】
【０００５】
【特許文献１】中国特許出願第２０１１１０３１５９３７．４号公開公報
【特許文献２】中国特許出願第２０１５１０８２１０６０．４号公開公報
【発明の概要】
【０００６】
従来技術が存在する上記欠点を解決するために、本発明は使用スペースが小さく、機能的相補性、増設電源を必要とせず、人体に有益な的フィットネス環境を提供し、操作しやすく、長期的に持続可能な改善を行うスマートホーム空気清浄のキャビネット型フィットネス機器及びその使用方法を提供ことを目的とする。
【０００７】
上記目的を達成するために、本発明は以下の技術的解決手段を用いる：スマートホーム空気清浄のキャビネット型フィットネス機器であって、筐体、トレッドミル、空気清浄機、電源を含み、筐体の下部にローラーが設置され、前記筐体がＡ面とＢ面に分けられ、空気清浄機がＡ面に設置され、トレッドミルがＢ面に設置される；トレッドミルの固定端が第三回転機構により筐体Ｂ面の底部に取り付けられ、トレッドミルの手すりが筐体Ｂ面両側の筐壁内に取り付けられ、手すりの固定端が第一回転機構により筐壁に接続される；スマートホーム空気清浄のキャビネット型フィットネス機器にさらにインテリジェント制御システムが設置され、前記インテリジェント制御システムはコントローラ、中央制御コンピューター、電圧周波数検出装置、オーディオ装置、表示装置及びトレッドミル、中央制御コンピューター、コントローラ及び上記各装置に接続される信号送受信装置を含む；ここで前記中央制御コンピューター内にティーチングモジュール、統計分析モジュール、警告モジュールが統合された制御ソフトウェアが取り付けられる；電圧周波数検出装置がトレッドミルトラックの下方に取り付けられ、監視範囲が少なくともトラック水平面積の７５％をカバーする；前記表示装置が筐体頂部の上方に設置され、表示装置にさらに重力感知機構が設置され、表示装置が第二回転機構により筐体に取り付けられ、筐体Ａ、Ｂ面で自由に回転して切り替えることができる。
【０００８】
上記スマートホーム空気清浄のキャビネット型フィットネス機器の使用方法は、以下のステップを含む：
１）装置の展開と要件の設定
ｉ．  ユーザー自身の要件に応じて、フィットネスを必要としない場合、スマートホーム空気清浄のキャビネット型フィットネス機器における空気清浄機を独立して起動し、トレッドミルを起動しなくてもよい；フィットネスを必要とする場合、スマートホーム空気清浄のキャビネット型フィットネス機器Ｂ面筐体のドアを開き、トレッドミルを下に置き、且つコントローラによりランニングパラメータを設定する；
ｉｉ．  中央制御コンピューターが信号を受信した後、表示装置により要件に応じて統計して分析されたフィットネス項目詳細を表示する；
ｉｉｉ．  ユーザーは自身の要件に応じて微調整を行い、プログラムの設定を完了する；
２）環境の準備
ｉ．  プログラムの設定が完了した後、空気清浄機を起動し、且つ環境空気が適切なフィットネスを保持する；
３）フィットネスプロセス
ｉ．  環境の準備が完了した後、プリセットプログラムに応じて、中央制御コンピューターはオーディオ装置及び表示装置によりステップに応じてユーザーがフィットネスを行うように提示する；
ｉｉ．  ユーザーが最初に使用する場合、表示装置においてトレッドミルに対応する正確の使用ティーチングを自動的に放送する；ユーザーが熟練した後、ユーザーが事前に設定した音楽又はビデオを放送する；
【０００９】
ｉｉｉ．  ユーザーがフィットネスを行い、電圧周波数検出装置がユーザーフィットネス動作の速度、コンパス及び頻度を検出し、中央制御コンピューターが信号を受信した後に統計分析を行い、科学方式との区別が大きすぎ、中央制御コンピューター内事前に設定された閾値を超える場合、オーディオ装置及び表示装置によりユーザーに対して補正又は疲労警告を行う；
４）フィットネス終了の統計分析
【００１０】
ｉ．  フィットネスが完了した後、中央制御コンピューターは本回フィットネスの関連データに対して統計分析を行い、統計分析結果をオーディオ装置及び表示装置によりユーザーに放送する；
【００１１】
ｉｉ．  統計分析結果に基づき、ユーザー次回フィットネスの推薦を与える；
【００１２】
ｉｉｉ．  ユーザーが次のフィットネスを完了する場合、今回の推薦と対比してユーザーにフィットネスを科学的で、合理的で、定期的に行うように長期的に補正して注意する；
【００１３】
５）スマートホーム空気清浄のキャビネット型フィットネス機器の折り畳み
【００１４】
ｉ．  トレッドミルを第三回転機構、手すりを第一回転機構により筐体に折り畳み、筐体Ｂ面筐体のドアを閉じ、即ちスマートホーム空気清浄のキャビネット型フィットネス機器の折り畳みを完了する。
【００１５】
上記スマートホーム空気清浄のキャビネット型フィットネス機器の好ましい実施形態は、前記空気清浄機内に環境改善システムが統合され、環境改善システムは少なくとも負イオン発生装置、加湿装置、酸素添加装置及び環境データ監視装置を含む；前記中央制御コンピューター内の制御ソフトウェアにさらに環境データ監視制御モジュールが統合される。
【００１６】
上記スマートホーム空気清浄のキャビネット型フィットネス機器の好ましい実施形態の使用方法は、その特徴は以下のステップを含むことである：
１）装置の展開と要件の設定
【００１７】
ｉ．  ユーザー自身の要件に応じて、フィットネスを必要としない場合、スマートホーム空気清浄のキャビネット型フィットネス機器における空気清浄機又は環境改善システムをそれぞれ又はすべて起動し、トレッドミルを起動しなくてもよい；フィットネスを必要とする場合、スマートホーム空気清浄のキャビネット型フィットネス機器Ｂ面筐体のドアを開き、トレッドミルを下に置き、且つコントローラによりランニングパラメータを設定する；
ｉｉ．  中央制御コンピューターが信号を受信した後、表示装置により要件に応じて統計して分析されたフィットネス項目詳細を表示する；
ｉｉｉ．  ユーザーは自身の要件に応じて微調整を行い、プログラムの設定を完了する；
２）環境の準備
ｉ．  プログラムの設定が完了した後、環境データ監視装置が動作し、スマートホーム空気清浄のキャビネット型フィットネス機器の所在環境の温度、負イオン濃度、酸素含有量、空気品質及び環境湿度を検出する；
ｉｉ．  中央制御コンピューターが信号を受信した後、環境データ監視制御モジュールが起動し、空気清浄機及環境改善システムが人体運動に適した環境データに達するまで環境を改善するように制御し、且つ維持し続ける；
３）フィットネスプロセス
ｉ．  環境の準備が完了した後、プリセットプログラムに基づき、中央制御コンピューターがオーディオ装置及び表示装置によりステップに応じてユーザーがフィットネスを行うように提示する；
ｉｉ．  ユーザーが最初に使用する場合、表示装置においてトレッドミルに対応する正確の使用ティーチングを自動的に放送する；ユーザーが熟練した後、ユーザーが事前に設定した音楽又はビデオを放送する；
ｉｉｉ．  ユーザーがフィットネスを行い、電圧周波数検出装置がユーザーフィットネス動作の速度、コンパス及び頻度を検出し、中央制御コンピューターが信号を受信した後に統計分析を行い、科学方式との区別が大きすぎ、中央制御コンピューターにおいて事前に設定された閾値を超えると、オーディオ装置及び表示装置によりユーザーに対して補正又は疲労警告を行う；
４）フィットネス終了の統計分析
ｉ．  フィットネスが完了した後、中央制御コンピューターは本回フィットネスの関連データに対して統計分析を行い、統計分析結果をオーディオ装置及び表示装置によりユーザーに放送する；
ｉｉ．  統計分析結果に基づき、ユーザー次回フィットネスの推薦を与える；
ｉｉｉ．  ユーザーが次のフィットネスを完了した後、今回の推薦と対比してユーザーにフィットネスを科学的で、合理的で、定期的に行うように長期的に補正して注意する；
５）スマートホーム空気清浄のキャビネット型フィットネス機器の折り畳み
ｉ．  トレッドミルを第三回転機構、手すりを第一回転機構により筐体に折り畳み、筐体Ｂ面筐体のドアを閉じ、即ちスマートホーム空気清浄のキャビネット型フィットネス機器の折り畳みが完了する。
【００１８】
従来技術に比べて、本発明は以下の利点を有する：家庭用空気清浄機は一般的な家庭用電化製品であるため、一般的な家庭は必然的に空気清浄機の取り付け領域及び大電力電化製品が専用する１６Ａ大きいソケット及び対応する回線を予約し、本発明は同様に大型家電製品に属するトレッドミルと空気清浄機を統合し、別のスペースを探して配置する必要がないだけでなく、回線及びソケットを別に設置する必要もなく、使用スペースが小さく、増設電源を必要としない；本発明は高低二つのレベルを設計することができ、低いレベルのは基本的な空気清浄機機能を保存し、トレッドミルと統合し、環境空気のクリーン衛生を保証する；高いレベルのはもとの空気清浄機に基づいて環境改善システムを増設し、空气環境における負イオン濃度、酸素含有量、空気清浄度に対していずれもよい改善機能を有し、従来の空気清浄機の温度調整、湿度調整機能と補完し、同時にエアコンと環境改善システムも共同に人体に有益な的フィットネス環境を提供し、トレッドミルと良好な整合を形成し、このような環境においてフィットネスを行うことは、明らかに有酸素運動が総運動を占める割合を向上させ、人体の快適性もかなり改善し、さらに一定の健康、解毒、呼吸循環システムをクリーンアップする機能を有する；機能が完全なインテリジェント制御システムが設置されるため、フィットネス方法を人道的にカスタマイズすることができ、且つ電圧周波数監視装置が設置されるため、フィットネスの動作に対して続く補正及び疲労警告を行うことができ、専門知識の不足のため、非科学的なフィットネス動作を行うことにより人体を損傷し又はフィットネス効果が望ましくない状況をもたらすことができない；統計分析及びフィードバックメカニズムを確立するため、ユーザーがフィットネス項目の長期的に持続可能な改善及びフィットネス動作のコロケーションを行うように寄与することができる；機能全体が完全であり、補完的で、人道的で、構造が厳密で、効率的で、設計が科学的で合理的である。
【図面の簡単な説明】
【００１９】
【図１】図１は本発明の構造模式図である。
【００２０】
図１は次を示す。表示装置１、筐体２、ローラー３、第二回転機構４、第一回転機構５、手すり６、第三回転機構７、トラック８。
【発明を実施するための形態】
【００２１】
スマートホーム空気清浄のキャビネット型フィットネス機器であって、筐体２、トレッドミル、空気清浄機、電源を含み、ここで：
前記筐体２がＡ面とＢ面に分けられ、空気清浄機がＡ面に設置され、トレッドミルがＢ面に設置され、筐体２の下部にローラー３が設置される；空気清浄機内に環境改善システムが統合され、環境改善システムは少なくとも空気浄化装置、負イオン発生装置、加湿装置、酸素添加装置及び環境データ監視装置を含む；トレッドミルの固定端が第三回転機構７により筐体２Ｂ面の底部に取り付けられ、トレッドミルの手すり６が筐体２Ｂ面両側の筐壁内に取り付けられ、手すり６の固定端が第一回転機構５により筐壁に接続される。
【００２２】
スマートホーム空気清浄のキャビネット型フィットネス機器にさらにインテリジェント制御システムが設置され、前記インテリジェント制御システムはコントローラ、中央制御コンピューター、電圧周波数検出装置、オーディオ装置、表示装置１及びトレッドミル、中央制御コンピューター、コントローラ及び電圧周波数検出装置、オーディオ装置、表示装置、環境データ監視装置に接続される信号送受信装置を含む；ここで前記中央制御コンピューター内にティーチングモジュール、統計分析モジュール、警告モジュール、環境データ監視制御モジュールが統合された制御ソフトウェアが取り付けられる；電圧周波数検出装置がトレッドミルトラック８の下方に取り付けられ、監視範囲が少なくともトラック８水平面積の７５％をカバーする；前記表示装置１が筐体２頂部の上方に設置され、表示装置１にさらに重力感知機構が設置され、表示装置１が第二回転機構４により筐体２に取り付けられ、筐体２Ａ、Ｂ面で自由に回転して切り替えることができる。
【００２３】
本実施例は好ましい方式即ち空気清浄機に環境改善システムが統合され、制御ソフトウェアに環境データ監視制御モジュールが統合されることで説明する；本発明の一般的な方式は即ち単純な空気清浄機とトレッドミルとの統合であり、当業者は本実施例から取得しやすく、さらに説明しない。
【００２４】
本発明における中央制御コンピューターと表示装置１は分割され統合されてもよく、本実施例は統合された方式を用い、一般的なタブレット、ハンドヘルドコンピュータ又は一台のマシンで務めてもよく、その回転方式は現在販売の市場での変形ハンドヘルドコンピュータ及びタブレットにおいていずれも成熟した解決手段があり、且つ対応するバージョンの制御ソフトウェアを取り付ければよい。
【００２５】
上記スマートホーム空気清浄のキャビネット型フィットネス機器の使用方法は、以下のステップを含む：
１）装置の展開と要件の設定
ｉ．  ユーザー自身の要件に応じて、フィットネスを必要としない場合、スマートホーム空気清浄のキャビネット型フィットネス機器における空気清浄機又は環境改善システムをそれぞれ又はすべて起動し、トレッドミルを起動しなくてもよい；フィットネスを必要とする場合、スマートホーム空気清浄のキャビネット型フィットネス機器Ｂ面筐体のドアを開き、トレッドミルを下に置き、且つコントローラによりランニングパラメータを設定する；
ｉｉ．  中央制御コンピューターが信号を受信した後、表示装置１により要件に応じて統計して分析されたフィットネス項目詳細を表示する；
ｉｉｉ．  ユーザーは自身の要件に応じて微調整を行い、プログラムの設定を完了する；
２）環境の準備
ｉ．  プログラムの設定が完了した後、環境データ監視装置が動作し、スマートホーム空気清浄のキャビネット型フィットネス機器の所在環境の温度、負イオン濃度、酸素含有量、空気品質及び環境湿度を検出する；
ｉｉ．  中央制御コンピューターが信号を受信した後、環境データ監視制御モジュールが起動し、空気清浄機及環境改善システムが人体運動に適した環境データに達するまで環境を改善するように制御し、且つ維持し続ける；
３）フィットネスプロセス
ｉ．  環境の準備が完了した後、プリセットプログラムに基づき、中央制御コンピューターがオーディオ装置及び表示装置１によりステップに応じてユーザーがフィットネスを行うように提示する；
ｉｉ．  ユーザーが最初に使用する場合、表示装置１においてトレッドミルに対応する正確の使用ティーチングを自動的に放送する；ユーザーが熟練した後、ユーザーが事前に設定した音楽又はビデオを放送する；
ｉｉｉ．  ユーザーがフィットネスを行い、電圧周波数検出装置がユーザーフィットネス動作の速度、コンパス及び頻度を検出し、中央制御コンピューターが信号を受信した後に統計分析を行い、科学方式との区別が大きすぎ、中央制御コンピューターにおいて事前に設定された閾値を超えると、オーディオ装置及び表示装置１によりユーザーに対して補正又は疲労警告を行う；
４）フィットネス終了の統計分析
ｉ．  フィットネスが完了した後、中央制御コンピューターは本回フィットネスの関連データに対して統計分析を行い、統計分析結果をオーディオ装置及び表示装置１によりユーザーに放送する；
ｉｉ．  統計分析結果に基づき、ユーザー次回フィットネスの推薦を与える；
ｉｉｉ．  ユーザーが次のフィットネスを完了した後、今回の推薦と対比してユーザーにフィットネスを科学的で、合理的で、定期的に行うように長期的に補正して注意する；
５）スマートホーム空気清浄のキャビネット型フィットネス機器の折り畳み
ｉ．  トレッドミルを第三回転機構７、手すり６を第一回転機構５により筐体２に折り畳み、筐体２Ｂ面筐体のドアを閉じ、即ちスマートホーム空気清浄のキャビネット型フィットネス機器の折り畳みが完了する。
【００２６】
開示された実施例に対する上記説明により、当業者は本発明を実現し又は使用することができる。これらの実施例に対する様々な修正は当業者に対して明らかであり、本文に定義された一般的な原理は本発明の精神又は範囲から逸脱しない場合、他の実施例で実現することもできる。したがって、本発明は本文に示すこれらの実施例に限定されず、本文の開示する原理及び新規な特徴に一致する最も広い範囲に属すべきである。
【図１】
2018015326.tif 000003
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
スマートホーム空気清浄のキャビネット型フィットネス機器であって、筐体（２）、トレッドミル、空気清浄機、電源を含み、筐体（２）の下部にローラー（３）が設置され、その特徴は以下のとおりである：
前記筐体（２）がＡ面とＢ面に分けられ、空気清浄機がＡ面に設置され、トレッドミルがＢ面に設置される；トレッドミルの固定端が第三回転機構（７）により筐体（２）Ｂ面の底部に取り付けられ、トレッドミルの手すり（６）が筐体（２）Ｂ面両側の筐壁内に取り付けられ、手すり（６）の固定端が第一回転機構（５）により筐壁に接続される；
スマートホーム空気清浄のキャビネット型フィットネス機器にさらにインテリジェント制御システムが設置され、前記インテリジェント制御システムはコントローラ、中央制御コンピューター、電圧周波数検出装置、オーディオ装置、表示装置（１）とトレッドミル、中央制御コンピューター、コントローラ及び上記各装置に接続された信号送受信装置を含む；ここで前記中央制御コンピューター内にティーチングモジュール、統計分析モジュール、警告モジュールが統合された制御ソフトウェアが取り付けられる；電圧周波数検出装置がトレッドミルトラック（８）の下方に取り付けられ、監視範囲が少なくともトラック（８）水平面積の７５％をカバーする；前記表示装置（１）が筐体（２）頂部の上方に設置され、表示装置（１）にさらに重力感知機構が設置され、表示装置（１）が第二回転機構（４）により筐体（２）に取り付けられ、筐体（２）のＡ、Ｂ面に自由に回転して切り替えることができる。
【請求項２】
請求項１に記載のスマートホーム空気清浄のキャビネット型フィットネス機器であって、前記空気清浄機内に環境改善システムが統合され、環境改善システムは少なくとも負イオン発生装置、加湿装置、酸素添加装置及び環境データ監視装置を含む；前記中央制御コンピューター内の制御ソフトウェアにさらに環境データ監視制御モジュールが統合される。